(57)【要約】【課題】隣接するチャンネルあるいは隣々接するチャンネル等の近いチャンネルに電界強度の大きなアナログテレビジョン信号が存在する状態でデジタルテレビジョン信号を受信する際に、高周波増幅器あるいは混合器が歪むのを押さえる。【解決手段】入力されたテレビジョン信号を増幅する高周波増幅器２と、増幅されたテレビジョン信号を中間周波信号に周波数変換する混合器４と、中間周波信号のうち所定の中間周波帯の帯域内に現れる帯域内中間周波信号を選択するＳＡＷフィルタ７と、帯域内中間周波信号を増幅する中間周波増幅器８とを備え、ＳＡＷフィルタに入力される中間周波信号を検波して第一のＡＧＣ電圧を発生する広帯域検波手段９を設け、第１のＡＧＣ電圧によって高周波増幅器２の利得を制御した。【選択図】　　　　図１
2004056194.tif 000002
【特許請求の範囲】
【請求項１】
入力されたテレビジョン信号を増幅する高周波増幅器と、増幅された前記テレビジョン信号を中間周波信号に周波数変換する混合器と、前記中間周波信号のうち所定の中間周波帯の帯域内に現れる帯域内中間周波信号を選択するＳＡＷフィルタと、前記帯域内中間周波信号を増幅する中間周波増幅器とを備え、前記ＳＡＷフィルタに入力される前記中間周波信号を検波して第一のＡＧＣ電圧を発生する広帯域検波手段を設け、前記第１のＡＧＣ電圧によって前記高周波増幅器の利得を制御したことを特徴とするテレビジョンチューナ。
【請求項２】
前記ＳＡＷフィルタの入力端を直列共振回路を介して接地し、前記直列共振回路の共振周波数を前記ＳＡＷフィルタに入力される前記中間周波信号のうち前記中間周波帯の帯域外に現れる帯域外中間周波信号の周波数に設定したことを特徴とする請求項１に記載のテレビジョンチューナ。
【請求項３】
前記ＳＡＷフィルタに入力される前記中間周波信号のうち前記中間周波帯の帯域外に現れる帯域外中間周波信号を検波して第二のＡＧＣ電圧を発生する狭帯域検波手段を設け、前記狭帯域検波手段は前記帯域外中間周波信号に共振する直列共振回路と、前記直列共振回路に直列に接続された検波器とを有し、前記第二のＡＧＣ電圧によって前記高周波増幅器の利得を制御し、前記第二のＡＧＣ電圧を前記第一のＡＧＣ電圧に対して相対的に変えられるようにしたことを特徴とする請求項１に記載のテレビジョンチューナ。
【請求項４】
前記狭帯域検波手段を複数設けたことを特徴とする請求項３に記載のテレビジョンチューナ。
【発明の詳細な説明】
【０００１】
【発明の属する技術分野】
本発明はテレビジョンチューナに関し、特にアナログテレビジョン放送又はデジタルテレビジョン放送を受信するテレビジョン受信機に好適なテレビジョンチューナに関する。
【０００２】
【従来の技術】
従来のテレビジョンチューナを図５によって説明する。入力同調回路３１にはアナログテレビジョン信号及びデジタルテレビジョン信号が入力される。入力同調回路３１は受信すべきチャンネルのテレビジョン信号に同調するように同調周波数が制御されるが、単同調回路によって構成されるので同調特性は比較的緩やかである。入力同調回路３１の次段には高周波増幅器３２が接続される。高周波増幅器３２は可変利得増幅器によって構成され、その利得は印加されるＡＧＣ電圧によって変えられる。高周波増幅器３２の次段には段間同調回路３３が接続される。段間同調回路３３も受信すべきチャンネルのテレビジョン信号に同調するように制御されるが、複同調回路によって構成されるので入力同調回路３１よりは同調特性がシャープである。段間同調回路３３の次段には混合器３４が接続される。混合器３４には発振器３５から局部発振信号が供給される。
【０００３】
以上の構成において、入力されたテレビジョン信号は混合器３４において中間周波信号に周波数変換されるが、受信すべきチャンネルのテレビジョン信号のみが所定の中間周波帯の帯域内に変換される。受信すべきチャンネル以外のテレビジョン信号は中間周波帯の帯域外に変換されるが、入力同調回路３１と段間同調回路３３の同調特性によって減衰するので、その中間周波信号のレベルは帯域内の中間周波信号のそれよりも低くなる。
【０００４】
混合器３４の次段には第一の中間周波増幅器３６が接続され、第一の中間周波増幅器３６の次段にはＳＡＷフィルタ３７が接続される。また、ＳＡＷフィルタ３７の次段には第二の中間周波増幅器３８が接続される。
また、ＳＡＷフィルタ３７の次段には検波手段３９が接続され、その次段にはオペアンプ４０が接続される。オペアンプ４０の出力端は高周波増幅器３２の利得制御端に接続される。
【０００５】
以上の構成において、ＳＡＷフィルタ３７はほぼ中間周波帯のみを通過し、それ以外の帯域を相当なレベルに減衰するようにシャープな特性を有している。従って、ＳＡＷフィルタ３７から出力される中間周波信号のうち中間周波帯の帯域外の中間周波信号のレベルは帯域内の中間周波信号のそれに比べて極めて低くなる。検波手段３９は帯域内の中間周波信号を検波してＡＧＣ電圧として出力する。ＡＧＣ電圧はオペアンプ４０によって所定のレベルに変換されたのち高周波増幅器３２に供給される。よって、第二の中間周波増幅器３８からは受信すべきチャンネルのテレビジョン信号に対応する帯域内の中間周波信号がほぼ一定レベルで出力される。出力された中間周波信号はその後段に設けられたアナログ用又はデジタル用の復調器（図示せず）によて復調される。
【０００６】
【発明が解決しようとする課題】
ところで、デジタルテレビジョン信号は既存のアナログテレビジョン信号のチャンネル以外のチャンネルを利用して送られるが、そのレベルは図６に示すように、アナログテレビジョン信号のそれよりも３５ｄＢ乃至４５ｄＢ低くなる場合がある。このような状態の下でデジタルテレビジョン信号のチャンネルを受信した場合、近くのチャンネルに電界強度の強いアナログテレビジョン信号が存在してもＳＡＷフィルタから出力されるアナログテレビジョン信号に基づく帯域外の中間周波信号のレベルがデジタルテレビジョン信号に基づく帯域内の中間周波信号よりも低い。従って、帯域外の中間周波信号によってはＡＧＣ動作が行われない。
【０００７】
よって、受信すべきチャンネルのテレビジョン信号レベルがＡＧＣ動作を必要としない段階では、高周波増幅器によって最大限に増幅されたアナログテレビジョン信号が混合器に入力され、混合器において大きな歪みを発生する。また、高周波増幅器が大振幅で振られることで飽和するとゲインコンプレッションを起こし、受信すべきデジタルテレビジョン信号を十分に増幅できないという問題も発生する。
【０００８】
このような問題を解決する為には、入力されるテレビジョン信号のレベルの低い段階からＡＧＣ動作を開始するように設定すれば良いが、そうすると、受信すべきチャンネルの中間周波信号のＳ／Ｎが劣化するという問題が新たに発生する。
【０００９】
本発明は、隣接するチャンネルあるいは隣々接するチャンネル等の近いチャンネルに電界強度の大きなアナログテレビジョン信号が存在する状態でデジタルテレビジョン信号を受信する際に、高周波増幅器あるいは混合器が歪むのを押さえることを目的とする。
【００１０】
【課題を解決するための手段】
上記課題に対して、本発明では、入力されたテレビジョン信号を増幅する高周波増幅器と、増幅された前記テレビジョン信号を中間周波信号に周波数変換する混合器と、前記中間周波信号のうち所定の中間周波帯の帯域内に現れる帯域内中間周波信号を選択するＳＡＷフィルタと、前記帯域内中間周波信号を増幅する中間周波増幅器とを備え、前記ＳＡＷフィルタに入力される前記中間周波信号を検波して第一のＡＧＣ電圧を発生する広帯域検波手段を設け、前記第１のＡＧＣ電圧によって前記高周波増幅器の利得を制御した。
【００１１】
また、前記ＳＡＷフィルタの入力端を直列共振回路を介して接地し、前記直列共振回路の共振周波数を前記ＳＡＷフィルタに入力される前記中間周波信号のうち前記中間周波帯の帯域外に現れる帯域外中間周波信号の周波数に設定した。
【００１２】
また、前記ＳＡＷフィルタに入力される前記中間周波信号のうち前記中間周波帯の帯域外に現れる帯域外中間周波信号を検波して第二のＡＧＣ電圧を発生する狭帯域検波手段を設け、前記狭帯域検波手段は前記帯域外中間周波信号に共振する直列共振回路と、前記直列共振回路に直列に接続された検波器とを有し、前記第二のＡＧＣ電圧によって前記高周波増幅器の利得を制御し、前記第二のＡＧＣ電圧を前記第一のＡＧＣ電圧に対して相対的に変えられるようにした。
【００１３】
また、前記狭帯域検波手段を複数設けた。
【００１４】
【発明の実施の形態】
本発明のテレビジョンチューナを図１乃至図４によって説明する。図１は基本構成を示し、図２は他の構成例を示し、図４は更に他の構成例を示す。
【００１５】
先ず図１において、入力同調回路１にはアナログテレビジョン信号及びデジタルテレビジョン信号が入力される。入力同調回路１は受信すべきチャンネルのテレビジョン信号に同調するように同調周波数が制御されるが単同調回路によって構成されるので同調特性は比較的緩やかである。入力同調回路１の次段には高周波増幅器２が接続される。高周波増幅器２は可変利得増幅器によって構成され、その利得は印加されるＡＧＣ電圧によって変えられる。高周波増幅器２の次段には段間同調回路３が接続される。段間同調回路３も受信すべきチャンネルのテレビジョン信号に同調するように制御されるが、複同調回路によって構成されるので入力同調回路１よりは同調特性がシャープである。
【００１６】
段間同調回路３の次段には混合器４が接続される。混合器４には発振器５から局部発振信号が供給される。局部発振周波数は図示しないＰＬＬ回路によって入力同調回路１及び段間同調回路３の各同調周波数と共に制御される。
【００１７】
以上の構成において、入力されたテレビジョン信号は混合器４において中間周波信号に周波数変換されるが、受信すべきチャンネルのテレビジョン信号の中間周波信号のみが所定の中間周波帯の帯域内に現れる（以下、帯域内に現れる中間周波信号を帯域内中間周波信号という）。そして、受信すべきチャンネル以外のテレビジョン信号が周波数変換されるとその中間周波信号は中間周波帯の帯域外に現れる（以下、帯域外に現れる中間周波信号を帯域外中間周波信号という）。受信すべきチャンネル以外のテレビジョン信号は入力同調回路１と段間同調回路３の同調特性によって減衰するので、帯域外中間周波信号のレベルは帯域内中間周波信号のそれよりも低くなる。
【００１８】
混合器４の次段には第一の中間周波増幅器６が接続され、第一の中間周波増幅器６の次段にはＳＡＷフィルタ７が接続される。ＳＡＷフィルタ７は中間周波帯を通過帯域とし、その上下の帯域を急峻に減衰するのでＳＡＷフィルタ７から出力される帯域外中間周波信号のレベルは帯域内中間周波信号よりもかなり減衰する。ＳＡＷフィルタ７の次段には第二の中間周波増幅器８が接続される。第二の中間周波増幅器８からは帯域内中間周波信号がほぼ一定レベルで出力される。出力された帯域内中間周波信号はその後段に設けられたアナログ用又はデジタル用の復調器（図示せず）によて復調される。
【００１９】
さらに、第一の中間周波増幅器６の次段には周波数選択機能のない広帯域検波手段９が接続される。すなわち、広帯域検波手段９はＳＡＷフィルタ７の入力端側に接続される。広帯域検波手段９の次段にはオペアンプ１０が接続される。オペアンプ１０の出力端は高周波増幅器２の利得制御端に接続される。
【００２０】
広帯域検波手段９にはＳＡＷフィルタ７に入力される中間周波信号（すなわち帯域内中間周波信号と帯域外中間周波信号）がそのまま入力される。そして、帯域内中間周波信号がデジタルテレビジョン信号に基づくものであり、帯域外中間周波信号がアナログテレビジョン信号に基づくものである場合には、帯域外中間周波信号のレベルが帯域内中間周波信号のそれよりも高くなる可能性が十分にある。従って、入力同調回路１と段間同調回路３との同調特性を加味すれば、高周波増幅器２に入力されているデジタルテレビジョン信号のレベルとアナログテレビジョン信号のレベルとの差は、二つの中間周波信号のレベル差以上となっている。
【００２１】
そのような場合では、広帯域検波手段９はレベルの高い帯域外中間周波信号を検波して第一のＡＧＣ電圧を出力する。第一のＡＧＣ電圧によって高周波増幅器２の利得が減衰するように制御される。よって、高周波増幅器２から出力されるテレビジョン信号（デジタルテレビジョン信号及びアナログテレビジョン信号共に）のレベルが押さえられて混合器４に入力されので混合器４における歪み発生が軽減される。
【００２２】
広帯域検波手段９からの第一のＡＧＣ電圧を低くすれば高周波増幅器２の利得減衰開始が遅くなる（入力されるテレビジョン信号のレベルがより大きくなったときに利得減衰開始する）ので混合器４等における歪み改善の効果が少なくなり、高くして利得減衰開始を速めればテレビジョン信号のレベルが低い段階から利得減衰開始するので受信すべきデジタルテレビジョン信号の中間周波信号（帯域内中間周波信号）のＳ／Ｎが悪化するので、高周波増幅器２が利得減衰を開始するときのＡＧＣ電圧のレベル設定は入力されるデジタルテレビジョン信号とアナログテレビジョン信号とのレベル関係で決める。
【００２３】
図１においては混合器４での歪み発生を押さえられるが、アナログテレビジョン信号に基づく帯域外中間周波信号のレベルがあまりにも高い場合にはそれがＳＡＷフィルタ７を抜けて第二の中間周波増幅器８に入力される。すると第二の中間周波増幅器８では新たな歪みを発生する。そこで、図２に示すように、直列共振回路１１をＳＡＷフィルタ７の入力端とグランドとの間に接続し、その共振周波数を帯域外中間周波信号の一つの周波数（具体的には映像中間周波信号）に一致させておけば、第二の中間周波増幅器８に入力される帯域外中間周波信号の数が減るので歪み発生が軽減される。
【００２４】
図３は帯域外中間周波信号によって第二のＡＧＣ電圧を発生させ、受信すべきチャンネルに基づく帯域内中間周波信号のＳ／Ｎ悪化の防止と混合器４における歪み発生の軽減とを図るようにし、さらに帯域外中間周波信号によって第二の中間周波増幅器８が歪むのを軽減するようにしたものである。
【００２５】
図３における広帯域検波手段９は抵抗９ａと増幅器９ａと検波器９ｃとが直列に接続されて構成される。また、広帯域検波手段９には第一の狭帯域検波手段１２が並設される。第一の狭帯域検波手段１２は直列共振回路１２ａと可変利得増幅器１２ｂと検波器１２ｃとが直列に接続されて構成される。直列共振回路１２ａの共振周波数は帯域外中間周波信号の周波数と同じに設定される。
【００２６】
広帯域検波手段９は帯域内中間周波信号、帯域外中間周波信号を問わず最もレベルの高い中間周波信号を検波して第一のＡＧＣ電圧を出力する。また、第一の狭帯域検波手段１２は直列共振回路１２ａに共振する帯域外中間周波信号を検波して第二のＡＧＣを出力する。従って、広帯域検波手段９は第一の狭帯域検波手段１２が検波する帯域外中間周波信号に対しては感応しない。
【００２７】
以上の構成において、第一の狭帯域検波手段１２の可変利得増幅器１２ｂの利得設定によって第二のＡＧＣ電圧を第一のＡＧＣ電圧に対して相対的に変えられるので、例えば、第二のＡＧＣ電圧によって高周波増幅器２が利得減衰されたときに帯域内中間周波信号のＳ／Ｎ劣化が心配されるときには第二のＡＧＣ電圧低く押さえることで高周波増幅器２の利得開始時を遅らせてＳ／Ｎ劣化が避けられる。また、受信すべきチャンネル以外のテレビジョン信号によって混合器４で大きな歪みが発生するような場合には第二のＡＧＣ電圧を大きくすることで高周波増幅器２の利得減衰の開始時を早めて歪みを少なくできる。また、直列共振回路１２ａによって帯域外中間周波信号のレベルも減衰するので、第二の中間周波増幅器８での歪み発生も軽減される。
【００２８】
図４は第二の狭帯域検波手段１３を追加して広帯域検波手段９に並設したものである。第二の狭帯域検波手段１３も直列共振回路１３ａ、可変利得増幅器１３ｂ、検波器１３ｃを有し、直列共振回路１３ａを他の帯域外中間周波信号に共振させる。従って、図４の構成では複数の帯域外中間周波信号を検波して第二のＡＧＣ電圧を発生できる。
【００２９】
図４の構成では二つの帯域外中間周波信号に対してそれぞれ直列共振回路１２ａ、１３ａを共振させる。そして、それぞれの可変利得増幅器１２ｂ、１２ｃのレベルを適宜に設定すれば帯域内中間周波信号のＳ／Ｎ劣化と混合器４における歪み発生とを防げる。
【００３０】
【発明の効果】
以上説明したように、テレビジョン信号を中間周波信号に周波数変換する混合器と、中間周波信号のうち所定の中間周波帯の帯域内に現れる帯域内中間周波信号を選択するＳＡＷフィルタと、帯域内中間周波信号を増幅する中間周波増幅器とを備え、ＳＡＷフィルタに入力される中間周波信号を検波して第一のＡＧＣ電圧を発生する広帯域検波手段を設け、第１のＡＧＣ電圧によって高周波増幅器の利得を制御したので、高周波増幅器から出力されるテレビジョン信号（デジタルテレビジョン信号及びアナログテレビジョン信号共に）のレベルが押さえられて混合器に入力されので混合器における歪み発生が軽減される。
【００３１】
また、ＳＡＷフィルタの入力端を直列共振回路を介して接地し、直列共振回路の共振周波数をＳＡＷフィルタに入力される中間周波信号のうち中間周波帯の帯域外に現れる帯域外中間周波信号の周波数に設定したので、中間周波増幅器に入力される帯域外中間周波信号の数が減るので歪み発生が軽減される。
【００３２】
また、ＳＡＷフィルタに入力される中間周波信号のうち中間周波帯の帯域外に現れる帯域外中間周波信号を検波して第二のＡＧＣ電圧を発生する狭帯域検波手段を設け、狭帯域検波手段は帯域外中間周波信号に共振する直列共振回路と、直列共振回路に直列に接続された検波器とを有し、第二のＡＧＣ電圧によって高周波増幅器の利得を制御し、第二のＡＧＣ電圧を第一のＡＧＣ電圧に対して相対的に変えられるようにしたので、第二のＡＧＣ電圧によって高周波増幅器が利得減衰されたときに帯域内中間周波信号のＳ／Ｎ劣化が心配されるときには第二のＡＧＣ電圧を低く押さえることで高周波増幅器の利得開始時を遅らせてＳ／Ｎ劣化が避けられる。また、受信すべきチャンネル以外のテレビジョン信号によって混合器で大きな歪みが発生するような場合には第二のＡＧＣ電圧を大きくすることで高周波増幅器の利得減衰の開始時を早めて歪みを少なくできる。また、直列共振回路によって帯域外中間周波信号のレベルも減衰するので、中間周波増幅器での歪み発生も軽減される。
【００３３】
また、狭帯域検波手段を複数設けたので、複数の帯域外中間周波信号に対して各狭帯域検波手段の直列共振回路を共振させることで帯域内中間周波信号のＳ／Ｎ劣化と混合器における歪み発生とを防げる。
【図面の簡単な説明】
【図１】本発明のテレビジョンチューナの基本構成を示す回路図である。
【図２】本発明のテレビジョンチューナの他の構成を示す回路図である。
【図３】本発明のテレビジョンチューナの他の構成を示す回路図である。
【図４】本発明のテレビジョンチューナの更に他の構成を示す回路図である。
【図５】従来のテレビジョンチューナの構成を示す回路図である。
【図６】テレビジョン信号の種別によるレベル比較図である。
【符号の説明】
１　入力同調回路
２　高周波増幅器
３　段間同調回路
４　混合器
５　発振器
６　第一の中間周波増幅器
７　ＳＡＷフィルタ
８　第二の中間周波増幅器
９　広帯域検波手段
９ａ　抵抗
９ｂ　増幅器
９ｃ　検波器
１０　オペアンプ
１１　直列共振回路
１２　第一の狭帯域検波手段
１２ａ　直列共振回路
１２ｂ　可変利得増幅器
１２ｃ　検波器
１３　第二の狭帯域検波手段
１３ａ　直列共振回路
１３ｂ　可変利得増幅器
１３ｃ　検波器
【図１】
2004056194.tif 000003
【図２】
2004056194.tif 000004
【図３】
2004056194.tif 000005
【図４】
2004056194.tif 000006
【図５】
2004056194.tif 000007
【図６】
2004056194.tif 000008